【手続補正書】
【提出日】平成23年2月7日(2011.2.7)
【手続補正１】
【補正対象書類名】明細書
【補正対象項目名】０００６
【補正方法】変更
【補正の内容】
【０００６】
図４は、図３に示した無線アクセスネットワークにおいて、例えば、ＡＴ２０Ａをコア網１に接続する際に、ＢＳ１０ＡとＡＧＷ４と間に、ユーザデータ転送用のトンネルを設定する場合の通信シーケンスの１例を示す。
ＡＴ２０Ａから接続要求が発行されると、ＢＳ１０Ａ、ＳＲＮＣ７、Ｃ−ＡＧＷ５を経由して、ＡＡＡサーバ３とＡＴ２０Ａとの間でアクセス認証手順が実行される（ＳＱ１０ａ、ＳＱ１０ｂ、ＳＱ１０ｃ）。このとき、Ｃ−ＡＧＷ５からＢＳ１０Ａに、Ｃ−ＡＧＷ５のＩＰアドレスがＡＧＷ−ＩＤとして通知され（ＳＱ１１）、ＡＴ２０ＡからＣ−ＡＧＷ５に、認証対象となるＡＴ２０Ａの識別子（ＡＴＩＤ）が通知される（ＳＱ１２）。
【手続補正２】
【補正対象書類名】明細書
【補正対象項目名】０００８
【補正方法】変更
【補正の内容】
【０００８】
Ｃ−ＡＧＷ５は、ＰＭＩＰ  ＲＲＱメッセージを受信すると、応答メッセージ、本例では、ＰＭＩＰ  ＲＲＰメッセージをＢＳ１０Ａに送信する（ＳＱ１６）。ＰＭＩＰ  ＲＲＰメッセージは、トンネルの終端を示す情報（「Endpoint」）として、Ｕ−ＡＧＷ６のＩＰアドレスを含んでいる。ＢＳ１０Ａは、Ｃ−ＡＧＷ５からＰＭＩＰ  ＲＲＰメッセージを受信すると、「Endpoint」で指定されたＵ−ＡＧＷ６との間にトンネルを設定する（ＳＱ１８）。これによって、ＡＴ２０Ａは、コア網１に接続された通信相手との間で、ＢＳ１０ＡとＵ−ＡＧＷ６との間に設定されたトンネルを通して、ユーザデータを通信可能な状態となる（ＳＱ１９ａ、ＳＱ１９ｂ、ＳＱ１９ｃ）。
【手続補正３】
【補正対象書類名】明細書
【補正対象項目名】００２３
【補正方法】変更
【補正の内容】
【００２３】
更に、本発明によれば、基地局から移動局にとって最初のトンネルの設定要求を受信した時、Ｃ−ＡＧＷが、ＡＧＷ内の複数のＵ−ＡＧＷで負荷分散されるように、上記移動局に割り当てるべきＵ−ＡＧＷを選択しているため、負荷の不均一による特定Ｕ−ＡＧＷでのパケット転送遅延の発生を回避できる。また、Ｃ−ＡＧＷが、移動局が必要とする通信品質を参照し、移動局の通信に適したＵ−ＡＧＷを選択することによって、移動局に通信品質を保証したデータパケット転送が可能となる。
【手続補正４】
【補正対象書類名】明細書
【補正対象項目名】００４７
【補正方法】変更
【補正の内容】
【００４７】
移動局（ＡＴ）２０Ａのアクセス認証手順ＳＱ１０ａ〜ＳＱ１０ｃにおいて、ＡＡＡサーバ３は、ＡＴ２０Ａのアクセス認証（ユーザ認証を含む）に成功すると、Ｃ−ＡＧＷ５に対して、ＡＴ２０Ａのユーザに許容された通信サービス品質を示すユーザＱｏＳプロフィール（User QoS profile）を通知する（ＳＱ１３）。
【手続補正５】
【補正対象書類名】明細書
【補正対象項目名】００５５
【補正方法】変更
【補正の内容】
【００５５】
バインディングタイプが「Primary」となっていた場合、すなわち、移動無線通信システムが、図１２（Ｂ）で説明したように、ＡＴを基地局間でハンドオーバするシステム構成となっていた場合、制御部５１は、Ｕ−ＡＧＷアドレステーブル５９に登録済みのテーブルエントリのＢＳアドレス５９３の書き換える（２０６）。この後、制御部５１は、ＰＭＩＰ  ＲＲＱメッセージの送信元ＢＳ（ＢＳ１０Ａ）に、ステップ２０２で割当てたＵ−ＡＧＷのＩＰアドレスをEndpointとして含む応答メッセージ（ＰＭＩＰ  ＲＲＰ）を返送し（２０７）、ハンドオーバ前に使用されていた既存のトンネルを解放して（２０８）、このルーチンを終了する。
【手続補正６】
【補正対象書類名】明細書
【補正対象項目名】００５７
【補正方法】変更
【補正の内容】
【００５７】
例えば、消費リソース量３０２として、各Ｕ−ＡＧＷがＡＴに保証した最大ＢＷの合計値を採用した場合、制御部５１は、Ｕ−ＡＧＷアドレステーブル５９からＡＴＩＤ５９１とＵ−ＡＧＷアドレス５９２の値を読み出し、ＱｏＳ情報テーブル５８からＡＴＩＤ５９１と対応する最大ＢＷの値を検索し、検索された最大ＢＷ５２８Ｂの値をＵ−ＡＧＷアドレス５９２と対応する消費リソース量３０２として、Ｕ−ＡＧＷ状態テーブル３００に累計すればよい。但し、図１１に示したエントリＥＮ１、ＥＮ１１のように、Ｕ−ＡＧＷアドレステーブル５９に、ＡＴＩＤ５９１が同一の複数のテーブルエントリが登録されている場合、最大ＢＷ５８２Ｂの累計は、最初に検索されたテーブルエントリで行い、同一ＡＴＩＤをもつ残りのテーブルエントリは、最大ＢＷの累計対象から除外する。
【手続補正７】
【補正対象書類名】明細書
【補正対象項目名】００６１
【補正方法】変更
【補正の内容】
【００６１】
図２０は、新Ｕ−ＡＧＷの割当て（２１０）の更に他の実施例を示す。
この実施例では、図１０（Ｂ）に示したように、ＱｏＳ情報テーブル５８に、ＡＴＩＤ５８１と対応付けて記憶されたサービスクラス５８２Ｃを利用して、Ｕ−ＡＧＷを選択する。ここでは、説明を簡単化するため、サービスクラス５８２Ｃには、「ｄａｔａ」と「ｖｏｉｐ」の２つのクラスがあり、ＡＧＷ４の構成として、Ｕ−ＡＧＷ６−１が、ｖｏｉｐ用のパケット転送に最適化され、その他のＵ−ＡＧＷ６−２〜６−ｍが、ｄａｔａ用のパケット転送に最適化されているものと仮定する。
【手続補正８】
【補正対象書類名】明細書
【補正対象項目名】００６２
【補正方法】変更
【補正の内容】
【００６２】
Ｃ−ＡＧＷ５の制御部５１は、ＢＳ１０Ａから受信したＲＲＱメッセージに含まれるＡＴＩＤを検索キーとして、ＱｏＳ情報テーブル５８からサービスクラス５８２Ｃを検索し、サービスクラスが「ｖｏｉｐ」か否かをチェックする（２１３）。許容サービスクラス５８２Ｃが「ｖｏｉｐ」の場合、制御部５１は、Ｕ−ＡＧＷ６−１を選択して、これをＡＴ２０Ａに割当てる。検索されたサービスクラス５９２Ｃが「ｖｏｉｐ」以外の場合、制御部５１は、Ｕ−ＡＧＷ６−２〜６−ｍの中から、図１６で説明した手順で、消費リソースの推定値が最小のＵ−ＡＧＷを選択し（２１１、２１２）、これをＡＴ２０Ａに割り当てる。尚、図２０のステップ２１１、２１２には、図１８、図１９で説明した手順を適用してもよい。
【手続補正９】
【補正対象書類名】明細書
【補正対象項目名】００６６
【補正方法】変更
【補正の内容】
【００６６】
実施例では、ＱｏＳ情報テーブル５８にユーザＱｏＳプロフィール５８２の一部として記憶されたサービスクラス５８２Ｃに基づいて、各ＡＴに割り当てるべきＵ−ＡＧＷを選択したが、制御部５１は、新Ｕ−ＡＧＷ割り当て処理２１０のステップ２１３において、サービスクラス以外の情報を参照して、Ｕ−ＡＧＷを選択するようにしても良い。例えば、Ｕ−ＡＧＷ６−１〜６−ｍの中に、広帯域データパケットの転送用として専用化された高速Ｕ−ＡＧＷ６−ｊを用意しておき、制御部５１が、最大ＢＷが一定値以上のＡＴには、上記Ｕ−ＡＧＷ６−ｊを割当てるようにしても良い。ＡＧＷ４に、広帯域データパケットの転送用の複数のＵ−ＡＧＷを設けておき、これらの専用Ｕ−ＡＧＷ間で負荷が分散するように、Ｕ−ＡＧＷを割り当てるようにしてもよい。
【手続補正１０】
【補正対象書類名】明細書
【補正対象項目名】００６８
【補正方法】変更
【補正の内容】
【００６８】
図１３に戻って、ＢＳ１０Ａは、Ｃ−ＡＧＷ５からＰＭＩＰ  ＲＲＰメッセージを受信すると、受信メッセージのEndpointが示すＣ−ＡＧＷ６−１のＩＰアドレス（「IP6-1」）に従って、Ｕ−ＡＧＷ６−１との間にトンネルを設定する（ＳＱ１８）。これによって、ＡＴ２０Ａは、ＢＳ１０ＡとＵ−ＡＧＷ７を経由して、通信相手とユーザデータを通信できる状態となる（ＳＱ１９ａ、ＳＱ１９ｂ、ＳＱ１９ｃ）。上述したように、本実施例によれば、複数のＵ−ＡＧＷ間で負荷を分散させたトンネル設定が可能となる。
【手続補正１１】
【補正対象書類名】明細書
【補正対象項目名】００７０
【補正方法】変更
【補正の内容】
【００７０】
ＢＳ１０ＡとＵ−ＡＧＷ６−１との間に設定されたトンネルを介して通信中であったＡＴ２０Ａが、ＢＳ１０Ｂの通信圏内（サービスエリア）に移動したとする。ＡＴ２０Ａは、ＢＳ１０Ａ、ＢＳ１０Ｂからの受信信号（パイロット信号）の品質を定期的に測定するか、これらの基地局と交信する制御情報によって、各基地局の無線伝送路の状態を監視している。ＡＴ２０Ａは、新たなＢＳ１０Ｂとの間の無線伝搬路の状態が、ＢＳ１０Ａとの間の無線伝搬路の状態よりも良好になった時点で、ＢＳ１０ＡからＢＳ１０Ｂへのハンドオーバを開始する。ＡＴ２０Ａのハンドオーバは、基地局（ＢＳ１０Ａ、ＢＳ１０Ｂ）主導で実行されてもよい。
【手続補正１２】
【補正対象書類名】明細書
【補正対象項目名】００７１
【補正方法】変更
【補正の内容】
【００７１】
ＢＳ１０Ｂは、ＡＴ２０Ａからハンドオーバ要求を受信すると、ＳＲＮＣ７、Ｃ−ＡＧＷ５を経由して、ＡＡＡサーバ３との間で、ＡＴ２０Ａのアクセス認証手順を実行する（ＳＱ２０ａ、ＳＱ２０ｂ、ＳＱ２０ｃ）。このとき、図１３で詳述した最初のアクセス認証手順（ＳＱ１０ａ、ＳＱ１０ｂ、ＳＱ１０ｃ）と同様、Ｃ−ＡＧＷ５からＢＳ１０Ｂに、ＢＳ１０Ｂが収容されるＣ−ＡＧＷ５のＩＰアドレスが通知され、ＡＴ２０ＡからＣ−ＡＧＷ５に、ＡＴの識別子（ＡＴＩＤ）が通知され、ＡＡＡサーバ３からＣ−ＡＧＷ５に、上記ＡＴＩＤと対応したユーザＱｏＳプロフィールが通知される。
【手続補正１３】
【補正対象書類名】明細書
【補正対象項目名】００７２
【補正方法】変更
【補正の内容】
【００７２】
Ｃ−ＡＧＷ５の制御部５１は、ＡＡＡサーバ３からユーザＱｏＳプロフィールを受信すると、図１４に示したユーザＱｏＳプロフィール受信処理ルーチン１００を実行する。今回は、ＱｏＳ情報テーブル５８において、ＡＴ２０ＡのＡＴＩＤと対応するテーブルエントリが既に登録済みとなっているため、ＱｏＳ情報テーブル５８の更新はない。
ＢＳ１０Ｂは、アクセス認証手順（ＳＱ２０ａ、ＳＱ２０ｂ、ＳＱ２０ｃ）が完了すると、ＡＴ２０Ａを無線接続するためのコンフィグレーション（ＳＱ２４ａ、ＳＱ２４ｂ）を実行した後、Ｃ−ＡＧＷ５にトンネル設定要求（ＰＭＩＰ  ＲＲＱ）メッセージを送信する（ＳＱ２５）。ＢＳ１０ＢからＣ−ＡＧＷ５に送信されるＰＭＩＰ  ＲＲＱメッセージには、ＡＴ２０Ａの識別子（ＡＴＩＤ）と、バインディングタイプ「Primary」が付加されている。
【手続補正１４】
【補正対象書類名】明細書
【補正対象項目名】００７５
【補正方法】変更
【補正の内容】
【００７５】
ＢＳ１０Ｂは、Ｃ−ＡＧＷ５から応答メッセージ（ＰＭＩＰ  ＲＲＰ）を受信すると、Endpointで指定されたＵ−ＡＧＷ６−１との間にトンネルを設定する（ＳＱ２８）。これによって、ＡＴ２０Ａは、ＢＳ１０ＢとＵ−ＡＧＷ６−１を経由して、ユーザデータを通信できる状態となる（ＳＱ２９ａ、ＳＱ２９ｂ、ＳＱ２９ｃ）。
【手続補正１５】
【補正対象書類名】明細書
【補正対象項目名】００７８
【補正方法】変更
【補正の内容】
【００７８】
ＢＳ１０ＡとＵ−ＡＧＷ６−１との間に設定されたトンネルを介して通信中であったＡＴ２０Ａが、ＢＳ１０Ｂの通信圏内（サービスエリア）に移動したとする。本実施例では、ＡＴ２０ＡがＢＳ１０Ｂの通信圏内に移動すると、ＢＳ１０Ａを経由した既存のトンネル９Ａと共存させて、ＢＳ１０Ｂを経由した新たなトンネル９Ａ’が設定される。
【手続補正１６】
【補正対象書類名】明細書
【補正対象項目名】００７９
【補正方法】変更
【補正の内容】
【００７９】
ＢＳ１０Ｂは、ＡＴ２０Ａを検知すると、ＳＲＮＣ７、Ｃ−ＡＧＷ５を経由して、ＡＡＡサーバ２との間で、ＡＴ２０Ａのアクセス認証手順を実行する（ＳＱ２０ａ、ＳＱ２０ｂ、ＳＱ２０ｃ）。このとき、Ｃ−ＡＧＷ５からＢＳ１０Ｂに、ＢＳ１０Ｂが収容されるＣ−ＡＧＷ５のＩＰアドレスが通知され、ＡＴ２０ＡからＣ−ＡＧＷ５に、ＡＴの識別子（ＡＴＩＤ）が通知され、ＡＡＡサーバ３からＣ−ＡＧＷ５に、上記ＡＴＩＤと対応したユーザＱｏＳプロフィールが通知される。
【手続補正１７】
【補正対象書類名】明細書
【補正対象項目名】００８１
【補正方法】変更
【補正の内容】
【００８１】
ＢＳ１０Ｂは、アクセス認証手順（ＳＱ２０ａ、ＳＱ２０ｂ、ＳＱ２０ｃ）が完了すると、ＡＴ２０Ａを無線接続するためのコンフィグレーション（ＳＱ２４ａ、ＳＱ２４ｂ）を実行した後、Ｃ−ＡＧＷ５にトンネル設定要求（ＰＭＩＰ  ＲＲＱ）メッセージを送信する（ＳＱ２５’）。
ここでは、上り（Reverse Link）／下り（Forward Link）双方向の最初のトンネル（「primary」）９Ａが設定された後は、ＡＴ２０Ａ用の新たなトンネル９Ａ’として、上り方向（Reverse Link）のみのトンネル（「RL only」）が設定できるものとする。このようなトンネル設定機能は、前述したＵＭＢ（Ultra Mobile Broadband）の無線システムに備わっている。
【手続補正１８】
【補正対象書類名】明細書
【補正対象項目名】００８２
【補正方法】変更
【補正の内容】
【００８２】
ＢＳ１０ＢからＣ−ＡＧＷ５に送信されるＰＭＩＰ  ＲＲＱメッセージには、ＡＴ２０Ａの識別子（ＡＴＩＤ）と、設定要求されたトンネルがＡＴ２０Ａにとって２本目以降のトンネルであることを示すバインディングタイプ「RL only」が付加されている。
Ｃ−ＡＧＷ５の制御部５１は、ＢＳ１０ＢからＰＭＩＰ  ＲＲＱメッセージを受信すると、図１５に示したＲＲＱ受信処理ルーチン２００を実行して、ＡＴ２０Ａに割り当てるべきＵ−ＡＧＷを選択する。今回は、ＡＴ２０Ａの識別子（ＡＴＩＤ）と対応するテーブルエントリＥＮ１が、既にＵ−ＡＧＷアドレステーブル５９に登録済みとなっている。従って、制御部５１は、ＲＲＱ受信処理ルーチン２００のステップ２０２で、上記テーブルエントリＥＮ１のＵ−ＡＧＷアドレス５９２が示すＵ−ＡＧＷ６−１を選択し、ステップ２０４で、Ｕ−ＡＧＷアドレステーブル５９に、図１２（Ａ）に示すように、新たなテーブルエントリＥＮ１１が追加した後、EndpointでＵ−ＡＧＷ６−１のＩＰアドレス「IP6-1」を指定した応答メッセージ（ＰＭＩＰ  ＲＲＰ）をＢＳ１−Ｂに返送する（ＳＱ２６）。
【手続補正１９】
【補正対象書類名】明細書
【補正対象項目名】００８３
【補正方法】変更
【補正の内容】
【００８３】
ＢＳ１０Ｂは、Ｃ−ＡＧＷ５から応答メッセージ（ＰＭＩＰ  ＲＲＰ）を受信すると、Endpointで指定されたＵ−ＡＧＷ６−１との間にトンネルを設定する（ＳＱ２８）。これによって、ＡＴ２０Ａは、ＢＳ１０ＢとＵ−ＡＧＷ６−１を経由して、ユーザデータを通信できる状態となる（ＳＱ２９ａ、ＳＱ２９ｂ、ＳＱ２９ｃ）。
【手続補正２０】
【補正対象書類名】明細書
【補正対象項目名】００８４
【補正方法】変更
【補正の内容】
【００８４】
ＢＳとＵ−ＡＧＷ６との間のトンネル設定には、一定の時間を要する。従って、例えば、ＡＴ２０ＡがＢＳ１０Ｂの通信圏内に移動した時、ＡＴ２０ＡをＢＳ１０ＡからＢＳ１０Ｂに直ちにハンドオーバすると、ＡＴ２０ＡがＢＳ１０Ａの通信圏内に戻った時、逆にＢＳ１０ＢからＢＳ１０Ａへのハンドオーバが発生することになり、ＢＳ間のハンドオーバの頻発によってＣ−ＡＧＷ５の負荷が増大する。
【手続補正２１】
【補正対象書類名】明細書
【補正対象項目名】００８６
【補正方法】変更
【補正の内容】
【００８６】
本発明では、ＢＳ１０Ａを経由するＡＴ２０Ａ用の最初のトンネル９Ａを設定した後で、ＢＳ１０Ｂを経由するＡＴ２０Ａ用の第２のトンネル９Ａ’を設定するとき、Ｃ−ＡＧＷ５の制御部５１が、第２のトンネルの終端が、最初のトンネルの終端と同一になるように、Ｕ−ＡＧＷの選択しているため、ＡＴ２０Ａが移動しても、ＡＧＷ４内では、同一のＵ−ＡＧＷでＡＴ２０Ａのデータパケットを転送処理できる。従って、本発明によれば、例えば、ＡＴ２０Ａから送信された上りパケットを中継するＢＳが切り替わった時、同一のＵ−ＡＧＷ（本例では、Ｕ−ＡＧＷ６−１）で上りパケットを継続的に処理できる。
【手続補正２２】
【補正対象書類名】明細書
【補正対象項目名】００８９
【補正方法】変更
【補正の内容】
【００８９】
１：コア網、２：ホームエージェント（ＨＡ）、３：ＡＡＡサーバ、４：ＡＧＷ、５：Ｃ−ＡＧＷ、６：Ｕ−ＡＧＷ、７：ＳＲＮＣ、８：アクセス網、１０：基地局（ＢＳ）、２０：移動局（ＡＴ）、５１、６１：制御部、５２、６２：プログラムメモリ、５３、６３：データメモリ、５４、６４：ネットワークインタフェース、５５、６５：ＡＧＷインタフェース、５６：ユーザインタフェース、５８：ＱｏＳ情報テーブル、５８：Ｕ−ＡＧＷアドレステーブル、３００：Ｕ−ＡＧＷ状態テーブル。
【手続補正２３】
【補正対象書類名】図面
【補正対象項目名】図１
【補正方法】変更
【補正の内容】
【図１】
2009253678.tif 000001
【手続補正２４】
【補正対象書類名】図面
【補正対象項目名】図１５
【補正方法】変更
【補正の内容】
【図１５】
2009253678.tif 000002